(57)【要約】【課題】  ドアの近くに居るものを楽しませることのできるドアに、通常のドアを容易に改変することのできる壁紙セットを提供するものである。【解決手段】  長さ２メートル前後にして幅が１メートル前後の大きさであって、表面に扉が開いた扉の絵11及び開いた扉の入り口空間部分に幻想の世界又はキャラクターの絵が描かれた布地であって、この扉の絵11が布地の長辺に沿って８割以上の長さとして扉の蝶番側方向が布地の長辺部に描かれた布製壁紙10と、両面接着テープ21とを組み合わせたドア用布製壁紙セットとする。【選択図】    図１
0003145105.tif 000002
【実用新案登録請求の範囲】
【請求項１】
長さが２メートル前後にして幅が１メートル前後の大きさであって、表面に扉が開いた入り口及び開いた扉の絵と、扉の開いた入り口空間部分に幻想の世界又はキャラクターの絵と、が描かれた布地である布製壁紙と、両面接着テープとを組み合わせたことを特徴とするドア用布製壁紙セット。
【請求項２】
扉の絵は、布地の長辺に沿って８割以上の長さとして、扉の蝶番側方向が布地の長辺部に描かれていることを特徴とする請求項１に記載のドア用布製壁紙セット。
【考案の詳細な説明】
【技術分野】
【０００１】
本考案は、ドアを装飾する布製の壁紙に関するものである。
【背景技術】
【０００２】
今日、壁や天井の表面塗装に換わり、天井や壁に布製又は紙製や樹脂フィルム製の壁紙を貼着して室内を明るく又は美しくすることが多く行われている。
これらの壁紙に関しては、壁紙の貼着を容易且つ確実に行うようにする提案が種々成されており、例えば、特許文献１とする特開平１１−２２２７９９号では、基材層の表面に装飾層を有し、基材層の裏面に粘着材層を有する壁紙において、複数の貫通孔を壁紙の厚さ方向に設け、壁紙を壁などに貼着する際、壁との間に空気溜まりを発生させること無く容易且つ確実に壁に貼着することができるようにするものが提案されている。
【０００３】
又、例えば、特許文献２とする特開平１１−１５２７００号では、壁面上端近傍となる天井面の周囲を装飾する帯状壁紙において、コーナー部分の貼着処理を容易且つ迅速に処理できるようにして作業効率を向上させる壁紙の提案が成されている。
【特許文献１】特開平１１−２２２７９９号公報
【特許文献２】特開平１１−１５２７００号公報
【考案の開示】
【考案が解決しようとする課題】
【０００４】
従来の壁紙は、壁への貼着を容易且つ確実に行えるようにする実用性や壁などを美しく綺麗に見せて室内空間を明るく又は落ち着いた雰囲気とするなどの実用性が重視されており、入り口の扉の前に立った者などを楽しませる娯楽性を有するものは無かった。
【０００５】
本考案は、このような現状に鑑み、扉の近くに居るものを楽しませ、扉を開閉して出入りするものに安らぎなどを与えることのできる面白味のある愉快な扉に、通常の一般的扉から容易に改変することのできるドア用の壁紙セットを提供するものである。
【課題を解決するための手段】
【０００６】
本考案は、長さが２メートル前後にして幅が１メートル前後の大きさであって、表面に扉が開いた入り口及び開いた扉の絵と、扉の開いた入り口空間部分に幻想の世界又はキャラクターの絵と、が描かれた布地である布製壁紙と、両面接着テープとを組み合わせたドア用布製壁紙セットとするものである。
【０００７】
そして、扉の絵は、布地の長辺に沿って８割以上の長さとして、扉の蝶番側方向が布地の長辺部に描かれていることが好ましい。
【考案の効果】
【０００８】
本考案は、長さが２メートル前後にして幅が１メートル前後の布製壁紙であるから、通常の大きさの押し開き扉の全面を確実に覆うことができるものである。
【０００９】
そして、この布製壁紙には、扉の開いた入り口の絵が描かれている為、現実の扉を閉じた状態で扉の近くに居る者に扉が開いているように見せることができ、開いた扉の入り口空間部分には幻想の世界などの絵が描かれている為、現実の扉の向こう側に幻想的世界が存在するように思わせ、又、キャラクターの世界が広がっているように見せることにより、幻想の世界に紛れ込むような感覚を味わわせて楽しみを与えることができる。
【考案を実施するための最良の形態】
【００１０】
本考案の最良の形態は、長さ２メートル前後にして幅が１メートル前後の大きさであって、表面に扉が開いた入り口及び扉の絵11と、扉の開いた入り口空間部分に幻想の世界又はキャラクターの絵が描かれた布地であり、この扉の絵11は布地の長辺に沿って８割以上の長さで扉の蝶番側方向を布地の長辺部として扉が開いた状態に描かれた布地である布製壁紙10と、両面接着テープ21とを組み合わせたドア用布製壁紙セットとするものである。
【実施例】
【００１１】
本考案に係るドア用布製壁紙セットは、図１に示すように、長さ２．１メートルにして幅９０センチメートルの布地である布製壁紙10と、幅２センチメートル長さ４メートル程度の両面接着テープ21とを組み合わせたものである。
【００１２】
この布製壁紙10の表面には、一方の短辺に沿って壁紙全体の２割程度の大きさにドア入り口の上部桟を表す上部桟の絵13が横幅いっぱいに描かれ、一方の長辺に沿って開かれた扉の絵11が描かれているものである。
【００１３】
この扉の絵11は、布製壁紙10の長辺の位置を蝶番側方向として扉が大きく途中まで開かれた押し開きドアの絵11として描かれているものであり、扉が開かれた入り口の空間分となる範囲には、幻想的な空間の絵が鮮やかに描かれるものである。
【００１４】
このように布製壁紙10としての布地は、長さ２メートル余りで一方の短辺に沿って上部桟の絵13が描かれ、一方の長辺に沿って扉が開いた扉の絵11が描かれている為、上部桟の描かれていない短辺を現実の扉の下側端部に位置させる様に合せ、開かれた扉の絵11が描かれている長辺を現実の扉の蝶番側端部に合せ、布製壁紙10の幅を現実の扉の幅に合せるように扉の絵11が描かれていない長辺を布地の裏に折り込み、また、上部桟の絵13が描かれている短辺も布製壁紙10が現実の扉の上端面に掛かる長さとして布地の裏側に折り込むことにより、現実の扉の前面を覆うことができ、あたかも現実の扉が開いているように見せることのできるものである。
【００１５】
更に、一方の長辺及び一方の短辺を折り込んで現実の扉の大きさに合せた布製壁紙10において、現実の扉のノブ位置に合せた位置に数センチメートルの長さのスリットをカッターなどにより切り込んで十字型スリットを設け、ドアノブが布製壁紙10を貫通できるようにするものである。
【００１６】
そして、現実の扉の上端面及び下端面に両面接着テープ21を所要長さに切断して貼着し、現実の扉の大きさに合せた布製壁紙10の上端及び下端を切断した両面接着テープ21により現実の扉の上端面及び下端面に接着するものである。
【００１７】
尚、現実の扉の上部や下部に両面接着テープ21及び布製壁紙10を差し込む間隙がない場合は、布製壁紙10の端部を現実の扉の前面の上端部分や下端部分に貼着するものである。
【００１８】
このように、現実の扉の全面に布製壁紙10である布地を張り付けることができ、この布製壁紙10には扉が開かれた状態の扉の絵11と扉の開いた空間に幻想の世界が描かれているため、現実の扉が閉じているにも拘らず、扉が開かれ、扉の向こうに幻想空間が広がっている感覚を見る者に与えることができる。
【００１９】
尚、布製壁紙10と長尺の両面接着テープ21の他、１０センチメートル程度の両面接着テープや布地の接着部分を押える「へら」などを組み合わせることもある。
【００２０】
また、両面接着テープ21は、基材層の両面に粘着剤層を設けて粘着剤層の表面を覆う剥離紙を両面に貼着した接着テープ21に限るものでなく、熱接着テープを用いることもある。
【００２１】
そして、両面接着テープ21は、４メートル程度のものを１本だけ組み合わせる場合のみでなく、布製壁紙10の幅である短辺の長さに一致させた長さの両面接着テープ21の１本又は２本と、布製壁紙10の長辺の長さに合せた長さの両面接着テープ21の１本を組み合わせる場合、更に、長辺長さ及び短辺長さの両面接着テープの他に長さ１０センチメートル程度の両面接着テープの数本を追加するように組み合わせる場合などがある。
【００２２】
また、布製壁紙10の表面に描かれる扉の絵11は、図２に示すように、布地の長辺に沿って上端から下端に至る高さの扉の絵11とし、描かれた扉の下端の傾斜を小さく、描かれた扉の上端の傾斜を比較的大きく描くようにすることもある。
【００２３】
このように、上端の傾斜を大きくして布地の長辺に沿って布製壁紙10の略全長にわたる大きさの扉を描いた布製壁紙10は、現実の扉の大きさに当該布製壁紙10の大きさを合せるとき、上端及び扉の絵11が描かれた側の長辺を折り込んでも、描かれた扉の絵11の大きさと現実の扉31の大きさとの大小差を小さく保ちつつ、布製壁紙10の大きさ調整を行うことができる。
【００２４】
従って、扉の大きさを布製壁紙10の長辺の８割程度として上部桟の絵13を描いた場合は上部桟の絵13の部分を折り曲げ又は切断すると共に扉の絵11が描かれていない長辺部を折り曲げて描かれた扉に不自然さを生じさせること無く大きさ調整が可能な布製壁紙10であり、又、扉の大きさを布製壁紙10の全長として扉の上端の傾斜を大きくした布製壁紙10は、布製壁紙10の高さや横幅を調整するように扉の絵11の部分と上端を折り曲げ又は切断しても描かれた扉の高さと現実の扉の高さとの相違を少なくすることができるものであり、布製壁紙10を現実の扉の大きさに合せて現実の扉に張り付けたとき、描かれた扉に不自然さを生じさせること無く現実の扉が開いている感覚を見る者に与えることができるものである。
【００２５】
尚、布製壁紙10を現実の扉の大きさに合せるには、上述の折り方に限るものでなく、適宜に左右幅及び高さを合せるように折り曲げ又は余分な部分を切断除去すれば足りるものである。
【００２６】
また、開いた状態の扉を描いた出入り口の絵の空間部分には、幻想的な空間を描く場合に限るものでなく、アニメーションのキャラクターなど、アニメーションの世界を描いておくこともある。
【００２７】
更に、布製壁紙10の大きさは、長さを２．１メートとする場合に限るものでなく、１．８メートル乃至２．２メートル程度の２メートル前後とし、幅も９０センチメートルに限るものでなく０．８メートル乃至１．２メートルの１メートル前後の適宜大きさとすれば、通常の押し開きドアであれば大きさが異なっても扉の全面を覆うことを可能とし、無駄な布地を余り出さないようにすることができるものである。
【００２８】
以下、布製壁紙10を４メートルの両面接着テープ21を用いて現実の扉に取り付ける際の手順を説明する。
先ず、両面接着テープ21を現実の扉の大きさに合せた長さに切断して２本の横テープ23を作成する。更に、現実の扉の高さよりも数センチメートル程度長めの縦テープ25を切断する。
【００２９】
平らな場所に布製壁紙10の絵が描かれた表を下にして布製壁紙10を広げ、図３に示すように横テープ23により布製壁紙10の左端から現実の扉31の幅となる位置に鉛筆などによりマーク19を描き、布製壁紙10の上方から下端まで複数個所にマーク19を描く。
【００３０】
次に縦テープ25の片面の剥離紙の端を少し剥がし、粘着面を下にして縦テープ25の端部を布製壁紙10の下端に合せてマーク19の位置の内側に縦テープ25の端を貼着し、図４に示すように順次剥離紙を剥がしながら縦テープ25をマーク19の位置に合せて布製壁紙10に完全に貼着する。
【００３１】
そして、上面に剥離紙が着いている縦テープ25を挟むようにして、図５に示すように、縦テープ25よりも外側の細い部分を折り込んで布製壁紙10を現実の扉31の幅に合せるようにしてアイロンを当て、折り目を確実に着けるようにする。
【００３２】
次に一旦折り曲げた布製壁紙10を開き、縦テープ25の上面の剥離紙を剥がし、再度折り目で布製壁紙10を折り曲げてアイロンで押圧し、布製壁紙10の折り目を両面接着テープ21である縦テープ25により固定する。
尚、縦テープ25から食み出した長辺部の布地は切断除去してもかまわない。
【００３３】
そして、縦テープ25から剥がした剥離紙を用い、現実の扉における扉の下端からドアノブの中央の位置までの高さに等しい長さの縦基準紙27を切断すると共に、現実の扉の開放端部からドアノブの中央位置までの距離に等しい長さの水平基準紙29を切断し、この縦基準紙27及び水平基準紙29を布製壁紙10の裏面に当てて図６に示すように十字線16を布製壁紙10の裏面に描く。
【００３４】
尚、現実の扉31の下方に両面接着テープ21及び布製壁紙10を差し込み、布製壁紙10を扉の下端面に貼着することができる間隙がある場合には、布製壁紙10の下端から横テープ23の幅だけ縦基準紙27の長さに加えた位置に十字線16の横線を描くものである。
【００３５】
そして、布製壁紙10の表面側にメモ用紙を当て、十字線16の例えば横線に沿って布製壁紙10を折り曲げて折り位置から十字線16の縦線に合せて鋏で切り込みを入れ、続いて十字線16の縦線位置で布製壁紙10を折り曲げて十字線16の横線に沿って切り込みを入れることにより、ドアノブを通すことの可能な最小の十字型スリット17を形成する。
【００３６】
尚、十字型スリット17は、布製壁紙10の下に厚紙などを挿入して定規に合せてカッターなどで切り込みを入れるようにして形成することもできる。
【００３７】
次に横テープ23の１本において片側の剥離紙を剥がし、図７に示すように、現実の扉31の上端面に貼着し、表面の剥離紙も剥がして粘着剤層を露出させておき、布製壁紙10の裏面を上にして現実の扉31の直前の床に布製壁紙10を広げて残る１本の横テープ23の剥離紙を剥がして布製壁紙10の裏面下端に貼着する。
【００３８】
尚、現実の扉31において、扉31の上部の出入り口30との間に形成される間隙が狭く、布製壁紙10を現実の扉31の上面に巻き込むことができない場合は、横テープ23を扉31の前面上端に貼着するものである。
【００３９】
そして、布製壁紙10の下端に貼着した横テープ23の剥離紙を剥がし、布製壁紙10の下端を現実の扉31の下端面に差し込み、現実の扉31の一方の端部（例えば蝶番側端部）に横テープ23を用いて布製壁紙10の一部を貼着し、布製壁紙10の他方の端部を現実の扉31の下面端部（自由端部側）に軽く押し付け、布製壁紙10が正しい位置に貼れていることを確認して定規などにより布製壁紙10を強く押し付けて確実に現実の扉31の下端に固定する。
【００４０】
尚、現実の扉31の下方に布製壁紙10を差し込む間隙が無い場合などの様に布製壁紙10の下端を扉31の下端面に貼着できない場合、又は下端面に貼着しない場合は、布製壁紙10の下端を現実の扉31の前面下端に合せるようにして布製壁紙10の下端を現実の扉31に貼着するものである。
【００４１】
このように布製壁紙10の下端を現実の扉31の下端に貼着した後、布製壁紙10を持ち上げるようにして現実の扉31の中ほどまで引き上げ、十字型スリット17からドアノブ33を布製壁紙10の表に貫通させ、布製壁紙10を扉31の上端に被せるようにし、布製壁紙10が緩み無く扉31に張り付けられたかを確認して扉31の上端に貼着している横テープ23に布製壁紙10を押し付ける。
【００４２】
そして、横テープ23の位置を布製壁紙10の表から強く押し付け、布製壁紙10を現実の扉31に確実に貼着して布製壁紙10の上方に食み出した部分を切断除去するものである。
【００４３】
又、布製壁紙10と布製壁紙10の横幅に等しい長さの両面接着テープ21や布製壁紙10の縦の長さに等しい両面接着テープ21とを組み合わせた布製壁紙10セットでは、横幅に等しい長さの両面接着テープ21を現実の扉31の幅に合せて切断し、２本に切断した内の短いテープ21を用いて布製壁紙10の裏面に現実の扉31の幅に合せたマーク19を付けることによって、長さの短いテープを用いて正確な位置に容易にマーク19を付けることができる。
【００４４】
次に、布製壁紙10の長さに等しい長さの両面接着テープ21の片側の剥離紙を剥がしてマーク19の位置に両面接着テープ21を貼り付け、布製壁紙10をテープ位置で折り曲げてアイロンを当て、両面接着テープ21の残る上面の剥離紙を剥がして布製壁紙10の折り曲げ位置を両面接着テープ21で固定するものである。
【００４５】
そして、この布製壁紙10の長辺長さに等しい長さの両面接着テープ21の剥離紙を切断して縦基準紙27及び水平基準紙29を作成し、布製壁紙10の裏面に十字線16をドアノブ33の位置に合せて描き、十字型スリット17を形成するものである。
【００４６】
そして、現実の扉31の上端面又は前面の上端に扉の横幅に等しくした両面接着テープ21を貼り付け、剥離紙を剥がして接着面を露出させておき、布製壁紙10を扉の近くの床に広げて１０センチメートル程度の両面接着テープ21を布製壁紙10の下端両端部と下端中間の複数個所に貼着し、この両面接着テープ21により布製壁紙10の下端を現実の扉31の下端面又は前面下端に貼着し、布製壁紙10を引き上げてドアノブ33を十字型スリット17に通し、布製壁紙10を緩ませないようにして扉の上端に貼着している両面接着テープ21により布製壁紙10を扉に貼り付け、上方の余分な布製壁紙10を切断除去するものである。
【００４７】
この様にして、現実の扉31の表面に、開かれた扉の絵11及び扉の開いた空間には幻想的な世界の絵が描かれた布製壁紙10を張り付けることにより、扉が開かれ、開かれた扉の向こう側には幻想的な空間やキャラクターの存在する空間が広がっているように見える扉とすることができるものである。
【図面の簡単な説明】
【００４８】
【図１】本考案に係るドア用布製壁紙セットの一例を示す図。
【図２】本考案に係るドア用布製壁紙の他の例を示す図。
【図３】本考案に係る布製壁紙に扉の幅のマークを付ける一例を示す図。
【図４】本考案に係る布製壁紙に縦テープを貼着する状態を示す図。
【図５】本考案に係る布製壁紙を扉の幅に合せる状態を示す図。
【図６】本考案に係る布製壁紙にドアノブに合せた十字線を描く状態を示す図。
【図７】本考案に係る布製壁紙を扉に貼着する準備状態を示す図。
【符号の説明】
【００４９】
１０  布製壁紙
１１  扉の絵                              １３  上部桟の絵
１６  十字線                              １７  十字型スリット
１９  マーク
２１  両面接着テープ
２３  横テープ                            ２５  縦テープ
２７  縦基準紙                            ２９  水平基準紙
３０  出入り口
３１  扉                                  ３３  ドアノブ
【図１】
0003145105.tif 000003
【図２】
0003145105.tif 000004
【図３】
0003145105.tif 000005
【図４】
0003145105.tif 000006
【図５】
0003145105.tif 000007
【図６】
0003145105.tif 000008
【図７】
0003145105.tif 000009